(57)【要約】 【課題】  コンパクトに折り畳むことができ、かつ運搬が便利な表示モジュール展示台の提供。  【解決手段】  本発明の表示モジュール展示台は、収容本体４２と底蓋４１と可動フレーム４３とからなる。底蓋４１の一端を収容本体４２に軸設することにより、底蓋４１と収容本体４２とから開閉自在なケース１を形成する。表示モジュール３を可動フレーム４３に置く。可動フレーム４３は、収容本体４２の内面に軸設し、表示モジュール３を展示するためにケース外に伸出したりケース内に収容したりすることができる。表示モジュール展示台の運搬上の便利性が向上する。【選択図】  図２  
2004337595.tif 000002
【特許請求の範囲】
【請求項１】
システム装置上に置かれて、表示モジュールが展示される際システム装置から電力及び信号が得られるように構成する表示モジュール展示台であって、
収容本体と、システム装置上に置かれる底蓋と、可動フレームとからなり、
前記底蓋の一端を前記収容本体に軸設することにより、前記底蓋と前記収容本体とから開閉自在なケースを形成し、該ケースは前記底蓋と前記収容本体とが軸接する端に対向する他端において開口を有し、
前記可動フレームは、前記収容本体であって前記開口に隣接する内面に軸設、前記表示モジュールが置かれる置き部材と支持部材から構成し、
前記支持部材の一端が置き部材と連接、前記支持部材の他端が前記収容本体と軸接することにより、前記可動フレームを前記ケース内に収容したり前記開口から前記ケース外へ伸出させたりすることを可能にし、
前記支持部材と前記収容本体が成す角度を選定した上固定化することができることを特徴とする表示モジュール展示台。
【請求項２】
前記底蓋は、更に、前記底蓋をシステム装置上に取り付けるためにシステム装置の上方に設けられる固定孔と、前記収容本体に隣接し対向し合う両端に凸設される板部材とを有し、
前記板部材の外表面に係合部材が設けられており、前記ケースが閉じたとき記板部材と前記収容本体は前記係合部材を介して係合することにより前記ケースの閉鎖性が増強されることを特徴とする請求項１に記載の表示モジュール展示台。
【請求項３】
更に、複数の固定部材を有し、
前記支持部材の両端に夫々螺旋孔があり、
前記収容本体に、前記支持部材の螺旋孔に対応する螺旋孔があり、
前記固定部材がこれらの螺旋孔を挿通することにより軸接することを特徴とする請求項１に記載の表示モジュール展示台。
【請求項４】
前記支持部材の一端が前記置き部材と軸接し、前記置き部材と前記支持部材とが成す角度を選定した上固定化することにより、表示モジュールの展示角度を調節することを特徴とする請求項１に記載の表示モジュール展示台。
【請求項５】
システム装置上に置かれて、表示モジュールが展示される際システム装置から電力及び信号を得られるように構成する表示モジュール展示台であって、
収容本体と可動フレームとからなり、
前記収容本体は、システム装置上に置かれて、開口を有し、
前記可動フレームは、前記収容本体であって前記開口に隣接する内面に軸設、前記表示モジュールが置かれる置き部材と支持部材から構成し、
前記支持部材の一端が前記置き部材と連接、前記支持部材の他の端が前記収容本体と軸接することにより、前記可動フレームを前記収容本体内に収容したり前記開口から前記収容本体外へ伸出させたりすることを可能にし、
前記支持部材と前記収容本体が成す角度を選定した上固定化することができることを特徴とする表示モジュール展示台。
【請求項６】
更に、システム装置上に置かれる底蓋を有し、
前記底蓋の一端を前記収容本体であって前記開口に対向する端に軸設することにより、前記底蓋と前記収容本体とから開閉自在なケースを形成することを特徴とする請求項５に記載の表示モジュール展示台。
【請求項７】
前記底蓋は、更に、前記底蓋をシステム装置上に取り付けるためにシステム装置の上方に設けられる固定孔と、前記収容本体に隣接し対向し合う両端に凸設される板部材とを有し、
前記板部材の外表面に係合部材が設けられており、前記ケースが閉じたとき記板部材と前記収容本体は前記係合部材を介して係合することにより前記ケースの閉鎖性が増強されることを特徴とする請求項６に記載の表示モジュール展示台。
【請求項８】
前記支持部材の一端が前記置き部材と軸接し、前記置き部材と前記支持部材とが成す角度を選定した上固定化することにより、表示モジュールの展示角度を調節することを特徴とする請求項５に記載の表示モジュール展示台。
【発明の詳細な説明】
【技術分野】
【０００１】
本発明は、展示台、特に、コンパクトに折り畳むことが可能な表示モジュールを展示する台に関する。
【背景技術】
【０００２】
電子機器では、情報を表示するための表示モジュールを設けるのは一般的である。現在、薄膜型トランジスタ液晶表示モジュール（liquid crystal display module, LCM）は、各業界における開発の要となる表示モジュールである。普段、メーカが表示モジュールを展示する場合、表示モジュールを表示モジュール展示台に置いて展示する。
【０００３】
図８は従来の表示モジュール展示台を示す。
【０００４】
図８において、表示モジュール展示台は箱体１と支持フレーム２からなる。箱体１に図示していない開口がある。支持フレーム２は、その一端が箱体１内に固設され該開口から伸出する一方、その他端が表示モジュール３を置いて展示するのに利用される。
【０００５】
しかしながら、前記のような展示台の支持フレーム２はコンパクトに折り畳むことができないため、運搬の際、表示モジュール展示台をそのまま手持ちするか、又は、携帯し易いように梱包する。このため、運搬の際不意にぶつかったりすることにより表示モジュール３が破損されることがある。
【０００６】
前記のことから、運搬が便利な表示モジュール展示台の提供は重要である。
【特許文献１】無
【発明の開示】
【発明が解決しようとする課題】
【０００７】
前記問題点に鑑み、本発明が解決しようとする課題は、コンパクトに折り畳むことができ、かつ運搬が便利な表示モジュール展示台を提供することにある。
【課題を解決するための手段】
【０００８】
上記の目的を達成するために、本発明の表示モジュール展示台は、システム装置（例えばコンピュータ本体）上に置かれて、表示モジュールが展示される際システム装置から電力及び信号が得られるように構成する表示モジュール展示台である。
本発明の表示モジュール展示台は、収容本体とシステム装置上に置かれる底蓋と可動フレームとからなる。前記底蓋の一端を前記収容本体に軸設することにより、前記底蓋と前記収容本体とから開閉自在なケースを形成する。該ケースは前記底蓋と前記収容本体とが軸接する端に対向する他端において開口を有する。前記可動フレームは、前記収容本体であって前記開口に隣接する内面に軸設、前記表示モジュールが置かれる置き部材と支持部材から構成する。前記支持部材の一端が置き部材と連接、前記支持部材の他端が前記収容本体と軸接することにより、前記可動フレームを前記ケース内に収容したり前記開口から前記ケース外へ伸出させたりすることを可能にする。また、前記支持部材と前記収容本体が成す角度を選定した上固定化することができる。
【０００９】
即ち、本発明の具体的構成は、以下のとおりである。
【００１０】
本願第１項に記載の発明は、システム装置上に置かれて、表示モジュールが展示される際システム装置から電力及び信号が得られるように構成する表示モジュール展示台であって、
収容本体と、システム装置上に置かれる底蓋と、可動フレームとからなり、
前記底蓋の一端を前記収容本体に軸設することにより、前記底蓋と前記収容本体とから開閉自在なケースを形成し、該ケースは前記底蓋と前記収容本体とが軸接する端に対向する他端において開口を有し、
前記可動フレームは、前記収容本体であって前記開口に隣接する内面に軸設、前記表示モジュールが置かれる置き部材と支持部材から構成し、
前記支持部材の一端が置き部材と連接、前記支持部材の他端が前記収容本体と軸接することにより、前記可動フレームを前記ケース内に収容したり前記開口から前記ケース外へ伸出させたりすることを可能にし、
前記支持部材と前記収容本体が成す角度を選定した上固定化することができることを特徴とする表示モジュール展示台。
【００１１】
第２項の発明は、前記底蓋は、更に、前記底蓋をシステム装置上に取り付けるためにシステム装置の上方に設けられる固定孔と、前記収容本体に隣接し対向し合う両端に凸設される板部材とを有し、
前記板部材の外表面に係合部材が設けられており、前記ケースが閉じたとき記板部材と前記収容本体は前記係合部材を介して係合することにより前記ケースの閉鎖性が増強されることを特徴とする前記第１項に記載の表示モジュール展示台。
【００１２】
第３項に記載の発明は、更に、複数の固定部材を有し、前記支持部材の両端に夫々螺旋孔があり、
前記収容本体に、前記支持部材の螺旋孔に対応する螺旋孔があり、
前記固定部材がこれらの螺旋孔を挿通することにより軸接することを特徴とする前記第１項に記載の表示モジュール展示台。
【００１３】
第４項に記載の発明は、前記支持部材の一端が前記置き部材と軸接し、前記置き部材と前記支持部材とが成す角度を選定した上固定化することにより、表示モジュールの展示角度を調節することを特徴とする前記第１項に記載の表示モジュール展示台。
【００１４】
第５項に記載の発明は、システム装置上に置かれて、表示モジュールが展示される際システム装置から電力及び信号を得られるように構成する表示モジュール展示台であって、
収容本体と可動フレームとからなり、
前記収容本体は、システム装置上に置かれて、開口を有し、
前記可動フレームは、前記収容本体であって前記開口に隣接する内面に軸設、前記表示モジュールが置かれる置き部材と支持部材から構成し、
前記支持部材の一端が前記置き部材と連接、前記支持部材の他の端が前記収容本体と軸接することにより、前記可動フレームを前記収容本体内に収容したり前記開口から前記収容本体外へ伸出させたりすることを可能にし、
前記支持部材と前記収容本体が成す角度を選定した上固定化することができることを特徴とする表示モジュール展示台。
【００１５】
第６項に記載の発明は、更に、システム装置上に置かれる底蓋を有し、
前記底蓋の一端を前記収容本体であって前記開口に対向する端に軸設することにより、前記底蓋と前記収容本体とから開閉自在なケースを形成することを特徴とする前記第５項に記載の表示モジュール展示台。
【００１６】
第７項に記載の発明は、前記底蓋は、更に、前記底蓋をシステム装置上に取り付けるためにシステム装置の上方に設けられる固定孔と、前記収容本体に隣接し対向し合う両端に凸設される板部材とを有し、
前記板部材の外表面に係合部材が設けられており、前記ケースが閉じたとき記板部材と前記収容本体は前記係合部材を介して係合することにより前記ケースの閉鎖性が増強されることを特徴とする前記第６項に記載の表示モジュール展示台。
【００１７】
第８項に記載の発明は、前記支持部材の一端が前記置き部材と軸接し、前記置き部材と前記支持部材とが成す角度を選定した上固定化することにより、表示モジュールの展示角度を調節することを特徴とする前記第５項に記載の表示モジュール展示台。
【発明の効果】
【００１８】
前記の通り、本発明は、前述の如き表示モジュール展示台からなることにより、可動フレームをケース内に収容したり開口からケース外へ伸出させたりすることができるため、表示モジュール展示台は、コンパクトに折り畳むことが可能、かつ運搬が便利である。
【００１９】
本発明の他の目的、構造特徴及び効果は、以下のように図面に基づいて詳細に説明することにより、一層明瞭になる。
【発明を実施するための最良の形態】
【００２０】
以下、本発明の実施例を図面に基づいて説明する。
【００２１】
本発明の表示モジュール展示台は、システム装置上に置いて表示モジュールが展示される際システム装置から電力及び信号を得るように構成する。
【００２２】
図１乃至図４は、本発明の表示モジュールの実施例を示す図である。図１乃至図４において、表示モジュール展示台は底蓋４１と収容本体４２と可動フレーム４３と固定部材４４とパッド４５と弾性部材４６からなる。
【００２３】
底蓋４１は、システム装置上に置くものである。底蓋４１は、システム装置に対応する部位に設けられる固定孔４１１を有する。該固定孔４１１を介して固定部材（図示していないが、例えば、ネジ等である）で底蓋４１をシステム装置上に設置することができる。また、（後述のケース４が閉じたとき）収容本体４２に隣接する底蓋４１の両端に板部材４１２，４１２が上方に向けて凸設される。また、板部材４１２の外表面に係合部材４１２１が設けられる。該係合部材４１２１は磁気材質である。
【００２４】
該係合部材４１２１は磁気材質である一方、収容本体４２は金属材質である。また、底蓋４１と収容本体４２は軸接して開閉自在なケース４を構成する。該ケース４が閉じる場合、底蓋４１の板部材４１２と収容本体４２とは係合部材４１２１を介して係合するため、ケース４の閉鎖性が増強する。また、底蓋４１と収容本体４２とが軸接する端に相対する他の端において、ケース４が開口４２１を有する。また、収容本体４２は、そのシステム装置に隣接する端の縁部に凸設される係合板４２２と、その内面に設けられる緩衝部材４２３（例えば、スポンジ材）とを有する。係合板４２２は、（係合板４２２がシステム装置における対応な位置に設けられる係合溝と係合することにより）収容本体４２をシステム装置上に嵌設するためのものである。緩衝部材４２３は、可動フレーム４３をケース４内に収容するとき収容本体４２と可動フレーム４３との衝突や摩擦を低減するためのものである。
【００２５】
可動フレーム４３が収容本体４２であって開口４２１に隣接する内面に軸設される。また、可動フレーム４３は置き部材４３１と支持部材４３２からなる。そのうち、置き部材４３１はその上に表示モジュール３（図２，３及び５に示す薄膜型トランジスタ液晶表示モジュールを参照）を置くためのものである。支持部材４３２は第１の支持部材４３２１と第２の支持部材４３２２とからなる。
【００２６】
第１の支持部材４３２１の両端は夫々置き部材４３１と第２の支持部材４３２２と軸接する。また、第１の支持部材４３２１と第２の支持部材４３２２両者が成す角度を選定した上固定化することができるような構成となっている。同様に、第１の支持部材４３２１と置き部材４３１両者が成す角度を選定した上固定化することができるような構成も形成される。これにより、表示モジュール３の展示角度は調節可能になる。また、第２の支持部材４３２２の他の端が収容本体４２と軸接する。これにより、可動フレーム４３をケース４内に収容したり開口４２１からケース４外へ伸出させたりすることができる。また、支持部材４３２と収容本体４２両者が成す角度を選定した上固定化することができる。
【００２７】
前記部材同士間角度を固定化する方法としては、例えば、図２に示すような方法が用いられる。即ち、連接し合う両部材同士に螺旋孔を形成し、固定部材４４が順にパッド４５、弾性部材４６及び両螺旋孔（図示していない）を挿通することにより両部材を軸接させ両部材が成す角度を固定化する。更に、弾性部材４６の働きにより、両部材が成す角度は適宜に調整することができる。この例でいう両部材同士は、第１の支持部材４３２１と置き部材４３１、第１の支持部材４３２１と第２の支持部材４３２２、又は、第２の支持部材４３２２と収容本体４２である。
【００２８】
図４、図５Ａ、図５Ｂ及び図５Ｃに示すように、可動フレーム４３がケース４に収容される状態から、可動フレーム４３を開口４２１よりケース４の外へ伸出させようとする場合、例えば、以下のステップが用いられる。先ず、ケース４を開けて、即ち、底蓋４１と収容本体４２を分離する。次に、可動フレーム４３を収容本体４２より外へ移出させる。次に、ケース４を閉じて、即ち、底蓋４１と収容本体４２を合体させる。そして、表示モジュール３がより良い展示角度で展示されるように、可動フレーム４３の各部材同士間の角度を調整する（該当角度が適宜に調整され次第、固定部材４４で該当角度を固定化する）。
【００２９】
図６に示すように、展示の際、展示解説として、ケース４の収容本体４２の外部に、展示される表示モジュール３の仕様を示す表（ラベル）を貼着しても良い。
【００３０】
また、図７に示すように、第１の支持部材４３２１と第２の支持部材４３２２にバス孔４３２１aを設けても良い。これにより、表示モジュール３を置き部材４３１に置くとき、（電力及び信号を得るために）表示モジュール３の電線（バス）がバス孔４３２１a及びケース４を通してシステム装置と接続することができる。
【００３１】
本発明は前記実施例の如く提示されているが、これは本発明を限定するものではなく、当業者は本発明の要旨と範囲内において変形と修正をすることができる。
【図面の簡単な説明】
【００３２】
【図１】本発明に係る表示モジュール展示台を示す側方斜視図である。
【図２】本発明に係る表示モジュール展示台を示す後方斜視図である。
【図３】本発明に係る表示モジュール展示台の折り畳み状態を示す斜視図である。
【図４】本発明に係る表示モジュール展示台のケースが開いた状態を示す斜視図である。
【図５Ａ】本発明に係る表示モジュール展示台のケースが開いた状態であって可動フレームが収容本体外部に移動された状態を示す斜視図である。
【図５Ｂ】本発明に係る表示モジュール展示台のケースが閉じた状態であって可動フレームが収容本体外部に移動された状態を示す斜視図である。
【図５Ｃ】本発明に係る表示モジュール展示台のケースが閉じた状態であって可動フレームが収容本体外部に移動され、可動フレームの各部材同士間角度調整済みの状態を示す斜視図である。
【図６】本発明に係る表示モジュール展示台のケースに表示モジュールの仕様表が貼着している状態を示す斜視図である。
【図７】本発明に係る表示モジュール展示台に置かれる表示モジュールの電線が可動フレームのバス孔を挿通してシステム装置と接続することを示す図である。
【図８】従来の表示モジュール展示台を示す斜視図である。
【符号の説明】
【００３３】
１  箱体
２  支持フレーム
３  表示モジュール
４  開閉自在なケース
４１  底蓋
４２  収容本体
４３  可動フレーム
４４  固定部材
４５  パッド
４６  弾性部材  
【図１】
2004337595.tif 000003
【図２】
2004337595.tif 000004
【図３】
2004337595.tif 000005
【図４】
2004337595.tif 000006
【図５Ａ】
2004337595.tif 000007
【図５Ｂ】
2004337595.tif 000008
【図５Ｃ】
2004337595.tif 000009
【図６】
2004337595.tif 000010
【図７】
2004337595.tif 000011
【図８】
2004337595.tif 000012